(57)【要約】      （修正有）【課題】構造が簡単で、取り付けと取り外しが便利で速い、医療棚体を二重ロックして、固定の安定性を向上させ、且つ医療棚体への電力供給が安全で安定し、通電を便利にして冷凍して、薬品の貯蔵に良好な環境を提供する。【解決手段】医療タンス４７と医療タンスの後側端面の中部に固定的に設置される挿定レバー４０を含み、壁面１０の前端面に挿定腔２７を取り付け、挿定腔の後側に槽位２８を貫通して取り付ける。槽位の後側壁に電気タッチのブロック２９が当接して設置され、槽位の後側に第一腔槽２６が設置され、挿定腔２７の左右両側に相互貫通の鎖定腔２５が対応して設置され、鎖定腔の後側に鎖定滑接槽３１が貫通して設置され、鎖定滑接槽と第一腔槽は相互して貫通している。第一腔槽の上方には壁面にある第一電力ローター１７が設置され、第一電力ローターの左右両側に第一転棒１５が動力を伝達可能に連結する。【選択図】図１
2019126700.tif 000002
【特許請求の範囲】
【請求項１】
医療タンスの構造であって、医療タンスと前記医療タンスの後側端面の中部に固定的に設置される挿定レバーを含み、壁面の前側端面に挿定腔を取り付け、前記挿定腔の後側に槽位を貫通して取り付け、前記槽位の後側壁に電気タッチのブロックが当接して設置され、前記槽位の後側に前記第一腔槽が設置され、前記挿定腔の左右両側に相互貫通の鎖定腔が対応して設置され、前記鎖定腔の後側に前記鎖定滑接槽が貫通して設置され、前記鎖定滑接槽と第一腔槽は相互に貫通しており、前記第一腔槽の上方には壁面にある前記第一電力ローターが設置され、前記第一電力ローターの左右両側に第一転棒が動力を伝達可能に連結しており、前記第一転棒は外に伸びて前記伝送腔の中に入て、前記第一転棒の外端が前記第一錐型輪に当接して取り付られ、前記伝送腔の中に前記第一錐型輪と嵌合して連結する前記第二錐型輪が配置され、前記第二錐型輪の前側に前記第一ネジ軸を当接して取り付け、前記第一ネジ軸にはクロ型紋がセット軸を嵌合して接続され、前記セット軸と前記鎖定滑接槽を配合し、左右の二つの前記セット軸の間に前記板件を当接して取り付け、前記板件が前記第一腔槽の左右に貫通し、前記板件の一番上に前記電気ブロックが設けられ、前記第一電力ロータの上方には第二電力ロータが当接して設けられ、前記第二電力ロータは壁面の中にあり、前記第二電力ロータの左右両端の前記動力軸に前記第二ネジ軸が当接して接続され、前記第二ネジ軸は第二腔槽の中に延在し、前記第二腔槽の底部の内側に前記押圧腔を貫通して取り付け、前記第二ネジ軸と前記第二腔槽の内側壁を回転可能に連結して、前記第二ネジ軸の上にクロ型紋が前記押圧ブロックを配合して連結し、前記押圧ブロックと前記第二腔槽を配合し、前記押圧ブロックの底端に押圧棒が設置され、前記押圧棒は押圧腔の中に伸びて、前記第一腔槽の外の底壁に前記コンタクトセンサーが当接して設けられており、壁面の前側表面の右端には前記指示ランプが当接して設置され、前記コンタクトセンサーと前記指示ランプは電気的に接続されており、挿定棒の最上端に前記電気ヘッドが固定的に設置され、前記挿定棒の中に前記スプリング留め金具が左右対応に設置され、前記スプリング留め金具の中に前記滑接ブロックがあり、前記滑接ブロックの内側端面に前記スプリングが固定的に接続され、前記スプリングの内端と前記スプリング留め金具の内壁面が固定的に接続され、前記滑接ブロックの中に上下貫通した穴が設置され、前記滑接ブロックの後側に斜面が設置され、前記電気ヘッドと前記コンタクトブロックをつなぎ、前記コンタクトブロックと前記電気ブロックをつなぎ、前記電気ブロックと電気的に接続していることを特徴とする医療タンスの構造。
【発明の詳細な説明】
【技術分野】
【０００１】
本発明は医療技術分野に関し、特に一つの医療タンスの構造に関連している。
【背景技術】
【０００２】
多くの薬品は一定の温度と湿度の環境の下で保存する必要がある。そうしないと、薬の効果が低下したり変質したりする。そのため、薬品を貯蔵する医療箱は冷蔵機能を必要とし、このような医療箱は通常プラグコンセントで通電して使用されるが、安全ではなく、しかも医療箱は外部の力によって転倒しやすく、十分に安定ではない。
【先行技術文献】
【特許文献】
【０００３】
【特許文献１】中国特許出願公開第106109148号明細書
【発明の概要】
【発明が解決しようとする課題】
【０００４】
本発明が解決しなければならない技術問題は医療タンスの構造を提供することである。それは上記の現在の技術の中の問題を解決できる。
【０００５】
上記の問題を解決するため、本発明は以下の技術方案を使う。
【０００６】
本発明の医療タンスの構造は、医療タンスと医療タンスの後側端面の中部に固定的に設置される挿定レバーを含む。壁面の前側端面に挿定腔を取り付け、挿定腔の後側に槽位を貫通して取り付ける。槽位の後側壁に電気タッチのブロックが当接して設置され、槽位の後側に第一腔槽が設置され、挿定腔の左右両側に相互貫通の鎖定腔が対応して設置され、鎖定腔の後側に鎖定滑接槽が貫通して設置され、鎖定滑接槽と第一腔槽は相互して貫通している。第一腔槽の上方には壁面にある第一電力ローターが設置され、第一電力ローターの左右両側に第一転棒が動力を伝達可能に連結している。第一転棒は外に伸びて伝送腔の中に入て、第一転棒の外端が第一錐型輪を当接して取り付ける。伝送腔の中に第一錐型輪と嵌合して連結する第二錐型輪が配置されている。第二錐型輪の前側に第一ネジ軸を当接して取り付け、第一ネジ軸にはクロ型紋がセット軸を嵌合して接続されている。セット軸と鎖定滑接槽を配合し、左右の二つのセット軸の間に板件を当接して取り付け、板件が第一腔槽の左右に貫通する。板件の一番上に電気ブロックが設けられ、第一電力ロータの上方には第二電力ロータが当接して設けられ、第二電力ロータは壁面の中にあり、第二電力ロータの左右両端の動力軸に第二ネジ軸が当接して接続されている。第二ネジ軸は第二腔槽の中に延在し、第二腔槽の底部の内側に押圧腔を貫通して取り付け、第二ネジ軸と第二腔槽の内側壁を回転可能に連結して、第二ネジ軸の上にクロ型紋が押圧ブロックを配合して連結する。押圧ブロックと第二腔槽を配合し、押圧ブロックの底端に押圧棒が設置され、押圧棒は押圧腔の中に伸びて、第一腔槽の外の底壁にコンタクトセンサーが当接して設けられている。壁面の前側表面の右端には指示ランプが当接して設置され、コンタクトセンサーと指示ランプは電気的に接続されている。
【０００７】
好ましい技術方案として挿定棒の最上端に電気ヘッドが固定的に設置され、挿定棒のうちにスプリング留め金具が左右対応に設置され、スプリング留め金具の中に滑接ブロックがあり、滑接ブロックの内側端面にスプリングが固定的に接続され、スプリングの内端とスプリング留め金具の内壁面が固定的に接続され、滑接ブロックの中に上下貫通した穴が設置され、滑接ブロックの後側に斜面が設置される。
【０００８】
好ましい技術方案として電気ヘッドとコンタクトブロックをつないで、コンタクトブロックと電気ブロックをつないで、電気ブロックと電気的に接続している。
【発明の効果】
【０００９】
1.挿定棒が挿定腔をアライメントしてから後ろにプッシュして、滑接ブロックが内に押されて、スプリングを圧縮する。滑接ブロックと鎖定腔の位置が合わせられると、スプリングの圧力の下で、滑接ブロックは両側に伸ばし出して、且つ鎖定腔の中に噛み合われる。この時は、第一電力ローターは第一転棒と第一錐型輪の回転を駆動し、第一錐型輪は第二錐型輪と第一ネジ軸の回転を駆動する。第一ネジ軸はセット軸の下降を駆動し、セット軸が完全に穴の中に伸びて、滑接ブロックを二重にロックする時まで、同時に、セット軸は電気ブロックと電力のヘッドのつなりを駆動し、電力のヘッドとコンタクトブロックが接続され、ひいては医療タンスは通電で使用することができる。
【００１０】
2.第二電力ローターの運転をコンソールして、第二電力ローターが第二ネジ軸の回転を駆動し、第二ネジ軸は押圧ブロックが内への移動を駆動する。押圧ブロックは押圧棒を駆動し、押圧棒が鎖定腔の中に伸びて、滑接ブロックを押圧する。押圧ブロックが完全にスプリング留め金具の中に縮む時、医療棚体を前に引き出し、押し圧を完了することができる。
【００１１】
3.本発明の構造が簡単で、組立と解体が早く便利で、医療タンスを二重ロックし医療タンスの安定性を増加し、そして医療タンスの電力供給が安全で安定し、医療タンスを通電し冷却を行うことに便利で薬品の貯蔵に良い環境を提供する。
【図面の簡単な説明】
【００１２】
【図１】図１は本発明の医療棚構造の未固定時の全体構造案内図である。
【図２】図２は本発明の医療棚構造の固定完了時の構造案内図である。
【図３】図３は本発明の医療棚構造の固定解除時の構造案内図である。
【図４】図４は本発明の部分構造案内図である。
【発明を実施するための形態】
【００１３】
本発明の実施例或いは既存の技術の技術方案をもっとはっきりと説明するため、以下に実施例或いは既存の技術説明について所要の図面を用いて簡単に紹介する。一目でわかることは下記の説明の中の図面はただ本発明のいくつかの実施例で、本分野の普通の技術者にとって、創造的な労働を払わない前提に、これらの図面によってそのほかの図面を得ることができる。
【００１４】
下記に図面を交え本発明の好ましい実施例を詳しく説明し、本発明の長所と特徴を本分野の技術者にもっと理解しやすくさせ、これにより本発明の保護範囲をもっと明確に画定する。
【００１５】
図１−４を参照し、本発明の医療棚構造は、医療棚体47と医療棚体47の後側端面の中部に固定的に設置される挿定レバー40を含む。壁面10の前側端面に挿定腔27を取り付け、挿定腔27の後側に槽位28を貫通して取り付ける。槽位28の後側壁に電気タッチのブロック29が当接して設置され、槽位28の後側に第一腔槽26が設置され、挿定腔27の左右両側に相互貫通の鎖定腔25が対応して設置され、鎖定腔25の後側に鎖定滑接槽31が貫通して設置され、鎖定滑接槽31と第一腔槽26は相互して貫通している。第一腔槽26の上方には壁面10にある第一電力ローター17が設置され、第一電力ローター17の左右両側に第一転棒15が動力を伝達可能に連結している。第一転棒15は外に伸びて伝送腔13の中に入て、第一転棒15の外端が第一錐型輪14を当接して取り付ける。伝送腔13の中に第一錐型輪14と嵌合して連結する第二錐型輪12が配置されている。第二錐型輪12の前側に第一ネジ軸11を当接して取り付け、第一ネジ軸11にはクロ型紋がセット軸30を嵌合して接続されている。セット軸30と鎖定滑接槽31を配合し、左右の二つのセット軸30の間に板件16を当接して取り付け、板件16が第一腔槽26の左右に貫通する。板件16の一番上に電気ブロック19が設けられ、第一電力ロータ17の上方には第二電力ロータ18が当接して設けられ、第二電力ロータ18は壁面10の中にあり、第二電力ロータ18の左右両端の動力軸に第二ネジ軸20が当接して接続されている。第二ネジ軸20は第二腔槽21の中に延在し、第二腔槽21の底部の内側に押圧腔24を貫通して取り付け、第二ネジ軸20と第二腔槽21の内側壁を回転可能に連結して、第二ネジ軸20の上にクロ型紋が押圧ブロック22を配合して連結する。押圧ブロック22と第二腔槽21を配合し、押圧ブロック22の底端に押圧棒23が設置され、押圧棒23は押圧腔24の中に伸びて、第一腔槽26の外の底壁にコンタクトセンサー101が当接して設けられている。壁面10の前側表面の右端には指示ランプ102が当接して設置され、コンタクトセンサー101と指示ランプ102は電気的に接続されている。板件16が底部に降りるとき、コンタクトセンサー101は信号を感知して指示ランプ102に伝え、指示ランプ102が点滅するのをコンソールする。
【００１６】
その中に挿定棒40の最上端に電気ヘッド41が固定的に設置され、挿定棒40のうちにスプリング留め金具46が左右対応に設置され、スプリング留め金具46の中に滑接ブロック44があり、滑接ブロック44の内側端面にスプリング45が固定的に接続され、スプリング45の内端とスプリング留め金具46の内壁面が固定的に接続され、滑接ブロック44の中に上下貫通した穴42が設置され、滑接ブロック44の後側に斜面43が設置される。
【００１７】
その中に電気ヘッド41とコンタクトブロック29をつないで、コンタクトブロック29と電気ブロック19をつないで、電気ブロック19と電気的に接続している。
【００１８】
初期状態の時、図1に示すように、セット軸30が完全に鎖定滑接槽31の中に縮んでいる。押圧ブロック22は第二腔槽21の最外側にあり、押圧ブロック23の内端と鎖定腔25の左側は整斉であり、第一電気ローター17と第二電気ローターは仕事を止める状態にある。
【００１９】
医療棚体47を固定する必要がある場合には、挿定棒40が挿定腔27をアライメントしてから後ろにプッシュして、滑接ブロック44が内に押されて、スプリング45を圧縮する。滑接ブロック44と鎖定腔25の位置が合わせされると、スプリング45の圧力の下で、滑接ブロック44は両側に伸ばし出して、且つ鎖定腔25の中に噛み合われる。この時は、第一電力ローター17は第一転棒15と第一錐型輪14の回転を駆動し、第一錐型輪14は第二錐型輪12と第一ネジ軸11の回転を駆動する。第一ネジ軸11はセット軸30の下降を駆動し、セット軸30が完全に穴42の中に伸びて、滑接ブロック44を二重にロックする時まで、同時に、セット軸30は電気ブロック19と電力のヘッド29のつなりを駆動し、電力のヘッド41とコンタクトブロック29が接続されて、ひいては医療棚体47は通電で使用することができる。
【００２０】
医療棚体47への固定を解除する必要がある場合には、第二電力ローター18の運転をコンソールして、第二電力ローター18が第二ネジ軸20の回転を駆動し、第二ネジ軸20は押圧ブロック22が内への移動を駆動する。押圧ブロック22は押圧棒23を駆動し、押圧棒23が鎖定腔25の中に伸びて、滑接ブロックを押圧する。押圧ブロック22が完全にスプリング留め金具46の中に縮む時、医療棚体47を前に引き出し、押し圧を完了することができる。
【００２１】
本発明の有益な効果は下記の通りである。
【００２２】
1.挿定棒が挿定腔をアライメントしてから後ろにプッシュして、滑接ブロックが内方向に押されて、スプリングを圧縮する。滑接ブロックと鎖定腔の位置が合わせされると、スプリングの圧力の下で、滑接ブロックは両側に伸ばし出して、且つ鎖定腔の中に噛み合われる。この時は、第一電力ローターは第一転棒と第一錐型輪の回転を駆動し、第一錐型輪は第二錐型輪と第一ネジ軸の回転を駆動する。第一ネジ軸はセット軸の下降を駆動し、セット軸が完全に穴の中に伸びて、滑接ブロックを二重にロックする時まで、同時に、セット軸は電気ブロックと電力のヘッドのつなりを駆動し、電力のヘッドとコンタクトブロックが接続されて、ひいては医療タンスは通電して使用することができる。
【００２３】
2.第二電力ローターの運転をコンソールして、第二電力ローターが第二ネジ軸の回転を駆動し、第二ネジ軸は押圧ブロックが内方向への移動を駆動する。押圧ブロックは押圧棒を駆動し、押圧棒が鎖定腔の中に伸びて、滑接ブロックを押圧する。押圧ブロックが完全にスプリング留め金具の中に縮む時、医療棚体を前に引き出し、押し圧を完了することができる。
【００２４】
3.本発明の構造が簡単で、組立と解体が早く便利で、医療タンスを二重ロックし医療タンスの安定性を増加し、そして医療タンスの電力供給が安全で安定し、医療タンスを通電し冷却を行うことに便利で薬品の貯蔵に良い環境を提供する。
【００２５】
以上に本発明の基本原理、主な特徴と本発明の長所を表示し説明した。本業界の技術者は本発明が以上の実施例の制限を受けなく、以上の実施例と説明書はただ本発明の原理を説明し、本発明の意義と範囲を離れない前提に本発明は各種の変化と改善があることを了解すべきである。これらの変化と改善は全部本発明の保護範囲にある。本発明の保護範囲は特許請求の範囲とその同等のものに画定される。
【図１】
2019126700.tif 000003
【図２】
2019126700.tif 000004
【図３】
2019126700.tif 000005
【図４】
2019126700.tif 000006
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
医療タンスの構造であって、医療タンスと前記医療タンスの後側端面の中部に固定的に設置される挿入固定レバーを含み、壁面の前側端面に挿入固定キャビティを取り付け、前記挿入固定キャビティの後側にスロットを貫通して取り付け、前記スロットの後側壁に電気タッチのブロックが当接して設置され、前記スロットの後側に前記第一キャビティが設置され、前記挿入固定キャビティの左右両側に相互貫通のロックキャビティが対応して設置され、前記ロックキャビティの後側に前記ロック滑接槽が貫通して設置され、前記ロック滑接槽と第一キャビティは相互に貫通しており、壁面にある第一電力ローターが第一キャビティの上方に設置され、前記第一電力ローターの左右両側に第一転棒が動力を伝達可能に連結しており、前記第一転棒は外に伸びて前記伝送キャビティの中に入って、前記第一転棒の外端が前記第一錐型輪に当接して取り付られ、前記伝送キャビティの中に前記第一錐型輪と嵌合して連結する前記第二錐型輪が配置され、前記第二錐型輪の前側に前記第一ネジ軸を当接して取り付け、前記第一ネジ軸にはねじ山がセット軸を嵌合して接続され、前記セット軸と前記ロック滑接槽を係合し、左右の二つの前記セット軸の間に前記プレートを当接して取り付け、前記プレートが前記第一キャビティの左右に貫通し、前記プレートの一番上に前記電気ブロックが設けられ、前記第一電力ロータの上方には第二電力ロータが当接して設けられ、前記第二電力ロータは壁面の中にあり、前記第二電力ロータの左右両端の前記動力軸に前記第二ネジ軸が当接して接続され、前記第二ネジ軸は第二キャビティの中に延在し、前記第二キャビティの底部の内側に前記押圧キャビティを貫通して取り付け、前記第二ネジ軸と前記第二キャビティの内側壁を回転可能に連結して、前記第二ネジ軸の上にねじ山が前記押圧ブロックを係合して連結し、前記押圧ブロックと前記第二キャビティを係合し、前記押圧ブロックの底端に押圧棒が設置され、前記押圧棒は押圧キャビティの中に伸びて、前記第一キャビティの外の底壁にコンタクトセンサーが当接して設けられており、壁面の前側表面の右端には前記指示ランプが当接して設置され、前記コンタクトセンサーと前記指示ランプは電気的に接続されており、挿入固定棒の最上端に前記電気ヘッドが固定的に設置され、前記挿入固定棒の中に前記スプリング留め金具が左右対応に設置され、前記スプリング留め金具の中に滑接ブロックがあり、前記滑接ブロックの内側端面に前記スプリングが固定的に接続され、前記スプリングの内端と前記スプリング留め金具の内壁面が固定的に接続され、前記滑接ブロックの中に上下貫通した穴が設置され、前記滑接ブロックの後側に斜面が設置され、前記電気ヘッドと前記コンタクトブロックをつなぎ、前記コンタクトブロックと前記電気ブロックをつなぎ、前記電気ブロックと電気的に接続していることを特徴とする医療タンスの構造。
【手続補正２】
【補正対象書類名】明細書
【補正対象項目名】全文
【補正方法】変更
【補正の内容】
【発明の詳細な説明】
【技術分野】
【０００１】
本発明は医療技術分野に関し、特に一つの医療タンスの構造に関連している。
【背景技術】
【０００２】
多くの薬品は一定の温度と湿度の環境の下で保存する必要がある。そうしないと、薬の効果が低下したり変質したりする。そのため、薬品を貯蔵する医療箱は冷蔵機能を必要とし、このような医療箱は通常プラグコンセントで通電して使用されるが、安全ではなく、しかも医療箱は外部の力によって転倒しやすく、十分に安定ではない。
【先行技術文献】
【特許文献】
【０００３】
【特許文献１】中国特許出願公開第106109148号明細書
【発明の概要】
【発明が解決しようとする課題】
【０００４】
本発明が解決しなければならない技術問題は医療タンスの構造を提供することである。それは上記の現在の技術の中の問題を解決できる。
【０００５】
上記の問題を解決するため、本発明は以下の技術方案を使う。
【０００６】
本発明の医療タンスの構造は、医療タンスと医療タンスの後側端面の中部に固定的に設置される挿入固定レバーを含む。壁面の前側端面に挿入固定キャビティを取り付け、挿入固定キャビティの後側にスロットを貫通して取り付ける。スロットの後側壁に電気タッチのブロックが当接して設置され、スロットの後側に第一キャビティが設置され、挿入固定キャビティの左右両側に相互貫通のロックキャビティが対応して設置され、ロックキャビティの後側にロック滑接槽が貫通して設置され、ロック滑接槽と第一キャビティは相互して貫通している。壁面にある第一電力ローターが第一キャビティの上方に設置され、第一電力ローターの左右両側に第一転棒が動力を伝達可能に連結している。第一転棒は外に伸びて伝送キャビティの中に入って、第一転棒の外端が第一錐型輪を当接して取り付ける。伝送キャビティの中に第一錐型輪と嵌合して連結する第二錐型輪が配置されている。第二錐型輪の前側に第一ネジ軸を当接して取り付け、第一ネジ軸にはねじ山がセット軸を嵌合して接続されている。セット軸とロック滑接槽を係合し、左右の二つのセット軸の間にプレートを当接して取り付け、プレートが第一キャビティの左右に貫通する。プレートの一番上に電気ブロックが設けられ、第一電力ロータの上方には第二電力ロータが当接して設けられ、第二電力ロータは壁面の中にあり、第二電力ロータの左右両端の動力軸に第二ネジ軸が当接して接続されている。第二ネジ軸は第二キャビティの中に延在し、第二キャビティの底部の内側に押圧キャビティを貫通して取り付け、第二ネジ軸と第二キャビティの内側壁を回転可能に連結して、第二ネジ軸の上にねじ山が押圧ブロックを係合して連結する。押圧ブロックと第二キャビティを係合し、押圧ブロックの底端に押圧棒が設置され、押圧棒は押圧キャビティの中に伸びて、前記第一キャビティの外の底壁にコンタクトセンサーが当接して設けられている。壁面の前側表面の右端には指示ランプが当接して設置され、コンタクトセンサーと指示ランプは電気的に接続されている。
【０００７】
好ましい技術方案として挿入固定棒の最上端に電気ヘッドが固定的に設置され、挿入固定棒のうちにスプリング留め金具が左右対応に設置され、前記スプリング留め金具の中に滑接ブロックがあり、滑接ブロックの内側端面にスプリングが固定的に接続され、スプリングの内端とスプリング留め金具の内壁面が固定的に接続され、滑接ブロックの中に上下貫通した穴が設置され、滑接ブロックの後側に斜面が設置される。
【０００８】
好ましい技術方案として電気ヘッドとコンタクトブロックをつないで、コンタクトブロックと電気ブロックをつないで、電気ブロックと電気的に接続している。
【発明の効果】
【０００９】
1.挿入固定棒が挿入固定キャビティをアライメントしてから後ろにプッシュして、滑接ブロックが内に押されて、スプリングを圧縮する。滑接ブロックとロックキャビティの位置が合わせられると、スプリングの圧力の下で、滑接ブロックは両側に伸ばし出して、且つロックキャビティの中に噛み合われる。この時は、第一電力ローターは第一転棒と第一錐型輪の回転を駆動し、第一錐型輪は第二錐型輪と第一ネジ軸の回転を駆動する。第一ネジ軸はセット軸の下降を駆動し、セット軸が完全に穴の中に伸びて、滑接ブロックを二重にロックする時まで、同時に、セット軸は電気ブロックと電力のヘッドのつなりを駆動し、電力のヘッドとコンタクトブロックが接続され、ひいては医療タンスは通電で使用することができる。
【００１０】
2.第二電力ローターの運転をコンソールして、第二電力ローターが第二ネジ軸の回転を駆動し、第二ネジ軸は押圧ブロックが内への移動を駆動する。押圧ブロックは押圧棒を駆動し、押圧棒がロックキャビティの中に伸びて、滑接ブロックを押圧する。押圧ブロックが完全にスプリング留め金具の中に縮む時、医療棚体を前に引き出し、押し圧を完了することができる。
【００１１】
3.本発明の構造が簡単で、組立と解体が早く便利で、医療タンスを二重ロックし医療タンスの安定性を増加し、そして医療タンスの電力供給が安全で安定し、医療タンスを通電し冷却を行うことに便利で薬品の貯蔵に良い環境を提供する。
【図面の簡単な説明】
【００１２】
【図１】図１は本発明の医療棚構造の未固定時の全体構造案内図である。
【図２】図２は本発明の医療棚構造の固定完了時の構造案内図である。
【図３】図３は本発明の医療棚構造の固定解除時の構造案内図である。
【図４】図４は本発明の部分構造案内図である。
【発明を実施するための形態】
【００１３】
本発明の実施例或いは既存の技術の技術方案をもっとはっきりと説明するため、以下に実施例或いは既存の技術説明について所要の図面を用いて簡単に紹介する。一目でわかることは下記の説明の中の図面はただ本発明のいくつかの実施例で、本分野の普通の技術者にとって、創造的な労働を払わない前提に、これらの図面によってそのほかの図面を得ることができる。
【００１４】
下記に図面を交え本発明の好ましい実施例を詳しく説明し、本発明の長所と特徴を本分野の技術者にもっと理解しやすくさせ、これにより本発明の保護範囲をもっと明確に画定する。
【００１５】
図１−４を参照し、本発明の医療棚構造は、医療棚体47と医療棚体47の後側端面の中部に固定的に設置される挿入固定レバー40を含む。壁面10の前側端面に挿入固定キャビティ27を取り付け、挿入固定キャビティ27の後側にスロット28を貫通して取り付ける。スロット28の後側壁に電気タッチのブロック29が当接して設置され、スロット28の後側に第一キャビティ26が設置され、挿入固定キャビティ27の左右両側に相互貫通のロックキャビティ25が対応して設置され、ロックキャビティ25の後側にロック滑接槽31が貫通して設置され、ロック滑接槽31と第一キャビティ26は相互して貫通している。壁面10にある第一電力ローター17が第一キャビティ26の上方に設置され、第一電力ローター17の左右両側に第一転棒15が動力を伝達可能に連結している。第一転棒15は外に伸びて伝送キャビティ13の中に入って、第一転棒15の外端が第一錐型輪14を当接して取り付ける。伝送キャビティ13の中に第一錐型輪14と嵌合して連結する第二錐型輪12が配置されている。第二錐型輪12の前側に第一ネジ軸11を当接して取り付け、第一ネジ軸11にはねじ山がセット軸30を嵌合して接続されている。セット軸30とロック滑接槽31を係合し、左右の二つのセット軸30の間にプレート16を当接して取り付け、プレート16が第一キャビティ26の左右に貫通する。プレート16の一番上に電気ブロック19が設けられ、第一電力ロータ17の上方には第二電力ロータ18が当接して設けられ、第二電力ロータ18は壁面10の中にあり、第二電力ロータ18の左右両端の動力軸に第二ネジ軸20が当接して接続されている。第二ネジ軸20は第二キャビティ21の中に延在し、第二キャビティ21の底部の内側に押圧キャビティ24を貫通して取り付け、第二ネジ軸20と第二キャビティ21の内側壁を回転可能に連結して、第二ネジ軸20の上にねじ山が押圧ブロック22を係合して連結する。押圧ブロック22と第二キャビティ21を係合し、押圧ブロック22の底端に押圧棒23が設置され、押圧棒23は押圧キャビティ24の中に伸びて、前記第一キャビティ26の外の底壁にコンタクトセンサー101が当接して設けられている。壁面10の前側表面の右端には指示ランプ102が当接して設置され、コンタクトセンサー101と指示ランプ102は電気的に接続されている。プレート16が底部に降りるとき、コンタクトセンサー101は信号を感知して指示ランプ102に伝え、指示ランプ102が点滅するのをコンソールする。
【００１６】
その中に挿入固定棒40の最上端に電気ヘッド41が固定的に設置され、挿入固定棒40のうちにスプリング留め金具46が左右対応に設置され、前記スプリング留め金具46の中に滑接ブロック44があり、滑接ブロック44の内側端面にスプリング45が固定的に接続され、スプリング45の内端とスプリング留め金具46の内壁面が固定的に接続され、滑接ブロック44の中に上下貫通した穴42が設置され、滑接ブロック44の後側に斜面43が設置される。
【００１７】
その中に電気ヘッド41とコンタクトブロック29をつないで、コンタクトブロック29と電気ブロック19をつないで、電気ブロック19と電気的に接続している。
【００１８】
初期状態の時、図1に示すように、セット軸30が完全にロック滑接槽31の中に縮んでいる。押圧ブロック22は第二キャビティ21の最外側にあり、押圧ブロック23の内端とロックキャビティ25の左側は整斉であり、第一電気ローター17と第二電気ローターは仕事を止める状態にある。
【００１９】
医療棚体47を固定する必要がある場合には、挿入固定棒40が挿入固定キャビティ27をアライメントしてから後ろにプッシュして、滑接ブロック44が内に押されて、スプリング45を圧縮する。滑接ブロック44とロックキャビティ25の位置が合わせされると、スプリング45の圧力の下で、滑接ブロック44は両側に伸ばし出して、且つロックキャビティ25の中に噛み合われる。この時は、第一電力ローター17は第一転棒15と第一錐型輪14の回転を駆動し、第一錐型輪14は第二錐型輪12と第一ネジ軸11の回転を駆動する。第一ネジ軸11はセット軸30の下降を駆動し、セット軸30が完全に穴42の中に伸びて、滑接ブロック44を二重にロックする時まで、同時に、セット軸30は電気ブロック19と電力のヘッド29のつなりを駆動し、電力のヘッド41とコンタクトブロック29が接続されて、ひいては医療棚体47は通電で使用することができる。
【００２０】
医療棚体47への固定を解除する必要がある場合には、第二電力ローター18の運転をコンソールして、第二電力ローター18が第二ネジ軸20の回転を駆動し、第二ネジ軸20は押圧ブロック22が内への移動を駆動する。押圧ブロック22は押圧棒23を駆動し、押圧棒23がロックキャビティ25の中に伸びて、滑接ブロックを押圧する。押圧ブロック22が完全にスプリング留め金具46の中に縮む時、医療棚体47を前に引き出し、押し圧を完了することができる。
【００２１】
本発明の有益な効果は下記の通りである。
【００２２】
1.挿入固定棒が挿入固定キャビティをアライメントしてから後ろにプッシュして、滑接ブロックが内方向に押されて、スプリングを圧縮する。滑接ブロックとロックキャビティの位置が合わせされると、スプリングの圧力の下で、滑接ブロックは両側に伸ばし出して、且つロックキャビティの中に噛み合われる。この時は、第一電力ローターは第一転棒と第一錐型輪の回転を駆動し、第一錐型輪は第二錐型輪と第一ネジ軸の回転を駆動する。第一ネジ軸はセット軸の下降を駆動し、セット軸が完全に穴の中に伸びて、滑接ブロックを二重にロックする時まで、同時に、セット軸は電気ブロックと電力のヘッドのつなりを駆動し、電力のヘッドとコンタクトブロックが接続されて、ひいては医療タンスは通電して使用することができる。
【００２３】
2.第二電力ローターの運転をコンソールして、第二電力ローターが第二ネジ軸の回転を駆動し、第二ネジ軸は押圧ブロックが内方向への移動を駆動する。押圧ブロックは押圧棒を駆動し、押圧棒がロックキャビティの中に伸びて、滑接ブロックを押圧する。押圧ブロックが完全にスプリング留め金具の中に縮む時、医療棚体を前に引き出し、押し圧を完了することができる。
【００２４】
3.本発明の構造が簡単で、組立と解体が早く便利で、医療タンスを二重ロックし医療タンスの安定性を増加し、そして医療タンスの電力供給が安全で安定し、医療タンスを通電し冷却を行うことに便利で薬品の貯蔵に良い環境を提供する。
【００２５】
以上に本発明の基本原理、主な特徴と本発明の長所を表示し説明した。本業界の技術者は本発明が以上の実施例の制限を受けなく、以上の実施例と説明書はただ本発明の原理を説明し、本発明の意義と範囲を離れない前提に本発明は各種の変化と改善があることを了解すべきである。これらの変化と改善は全部本発明の保護範囲にある。本発明の保護範囲は特許請求の範囲とその同等のものに画定される。